(57)【特許請求の範囲】
【請求項１】
下端にボルト孔を、また側面にフック部とを有するワークの移載反転装置において、
円弧状に形成されてその軸方向に移動可能なアームと、上記アームに設けられ、下端に上記ワークのボルト孔に挿通されて上記ワークの動きを規制するロッド部材と、上記アームに設けられ、上記ワークのフック部に係合されて上記ワークを支える上向き係合突部を有する横向きのフックプレート部材と、を有し、
上記アームをその軸方向に変位させて上記アームに保持した上記ワークをその重心回りに反転させるワークの移載反転装置。
【請求項２】
上記アームの下端に、長短２つのフックプレート部材を変位自在に枢支したことを特徴とする請求項１に記載のワークの移載反転装置。
【発明の詳細な説明】
【０００１】
【発明の属する技術分野】
本発明はワークの移載反転装置に関し、より詳しくは、自動車のトランスミッションのような重量物を反転させて移載するための移載反転装置に関する。
【０００２】
【従来の技術】
自動車のトランスミッションのような重量物を正立位置から倒立位置に反転して移載する装置として、本出願人が実公平８−５１４８号公報に開示した装置は、ホイスト等に釣り下げ支持されるアームを、重量物としてのワークの重心を中心とする円弧状に形成し、このアームの下端に正転状態でのワークの下端を支えて保持し、反転させる場合には、アームを軸方向に変位させることによりワークを重心回りに回動させるようにしたものである。
【０００３】
この装置は、ワークの重心を中心として僅かな力で反転させることができる利点を有しているが、反面において、アームの他端に複数のボルトを用いてワークを取付けなければならないため、ワークの着脱に多大の時間を要するほか、反転の際に上下のボルトやワークに必要以上の負荷をかけてしまうといった点でさらに改善すべき余地が残されている。
【０００４】
【発明が解決しようとする課題】
本発明はこのような問題に鑑みてなされたもので、その目的とするところは、ワークの着脱が容易で、しかも反転の際に取付け部分に必要以上の負荷をかけることのない改良されたワークの移載反転装置を提供することにある。
【０００５】
【課題を解決するための手段】
すなわち、本発明はかかる課題を達成するために、下端にボルト孔を、また側面にフック部とを有するワークの移載反転装置において、円弧状に形成されてその軸方向に移動可能なアームと、上記アームに設けられ、下端に上記ワークのボルト孔に挿通されて上記ワークの動きを規制するロッド部材と、上記アームに設けられ、上記ワークのフック部に係合されて上記ワークを支える上向き係合突部を有する横向きのフックプレート部材と、を有し、上記アームをその軸方向に変位させて上記アームに保持した上記ワークをその重心回りに反転させるようにしたものである。
【０００６】
【作用】
このように構成したことにより、円弧状アームの下端に垂設したロッド部材をワーク下端のボルト孔に挿通してワークの動きを規制するとともに、横向きに設けたフックプレート部材の上向き係合突起をワーク側面のフック部に係合させることにより、ロッド部材やフックプレート部材に無理な力を作用させることなく、しかも容易にワークを反転させることができる。
【０００７】
【発明の実施の形態】
そこで以下に本発明の実施例について説明する。
図１乃至図３はいずれも本発明の一実施例を示したものである。
【０００８】
図において符号１は、反転移載すべきワークＷ、例えば自動車のトランスミッションのような重量物を吊持ちし、かつ反転させるためのアームで、このアーム１はワークＷの重心を中心とするほぼ四半分の円弧として形成され、かつ、この上端には回転操作するためのレバー２が直角する向きに固定されている。
【０００９】
図中符号４は、ワークＷと係合してこれを吊下げ保持すべくアーム１の下端に取付けた吊下げ部材で、この吊下げ部材４は、アーム１の下端に固定したブラケット５の両端に垂直な向きに固定した棒状の２本のロッド６、６と、ワークＷに向けてブラケット５の上面に横向きに固定したフックプレート７とによって構成され、さらにこのフックプレート７の先端上面には、アーム１側に返しを設けた係合突起８が突設され、ワークＷの下端に設けた２ヶ所のボルト孔ａ、ａにロッド６、６の先端を挿入するとともに、ワークＷの側面に設けたフック部ｂに係合突起８を係合させることによって、アーム１の下端とワークＷとを結合するように構成されている。
【００１０】
これに対して、図中符合１２は、図示しないホイストの吊下げ金具１１に回動自在に取り付けたブラケットで、このブラケットは、アーム１を緩く挿通し得る程度の横巾を有するコ字状に形成されていて、ここには、内頂面１３との間にアーム１を挿通させ得る程度の間隔を持たせてアーム１を支持するローラ１４が軸止されていて、内頂面１３とローラ１４との間に挿通したアーム１をその軸心方向に移動し得るように構成されている。
【００１１】
このように構成された移載反転装置にワークＷを係合するには、はじめに、正立位置にあるワークＷに対してホイストの吊り金具１１を引き降し、ブラケット５を介してアーム１の下端に固定したロッド６の先端をワークＷの下端のボルト孔ａに挿通する。
【００１２】
ついで、図２に実線で示したように、アーム１を若干下降させつつワークＷから離す方向に変位させ、ついで、２点鎖線で示したように、アーム１をもとに戻しつつ引き上げると、フックプレート７先端の係合突起８はワークＷ側面の吊りフックｂの孔ｃに自然に嵌合して結合される。
【００１３】
そしてこの状態でアーム１を吊上げれば、ワークＷはロッド６の先端を中心として図中時計方向に回動する傾向を示しつつ、フックプレート７に長手方向の引張り力を加えながら吊上げられる。
【００１４】
したがって、このまま、図３に示したように、アーム１を右にあるいは左に旋回させれば、ワークＷは、ロッド６とフックプレート７に支持された状態のもとで、重心Ｏを中心として楽に反転操作することができる。
【００１５】
図４は、シリンダブロック等の異なるワークＷに対しても適用できるように構成したフックプレートについての実施例を示したものである。
【００１６】
図において符号２５は、図示しないアームの下端に固定したブラケットで、このブラケット２５の上面と下面には、共通のボルト２６を介して長短２つのフックプレート２７、２８が回動自在に枢支されていて、それぞれのフックプレート２７、２８を回動操作するとともに、その先端上面に突設した係合突起２７ａ、２８ａを形状を異にする各種ワークＷのフック孔に係合するように構成されている。
【００１７】
【発明の効果】
以上述べたように本発明によれば、ワークのボルト孔にロッド部材の先端を挿入した状態で、アームをワークから離す方向に変位させつつ引き上げることによって、アームの下端にワークを簡単に結合させることができると同時に、アームをその軸心方向いずれかに変位させることにより、ロッド部材の先端を中心として回動変位しようとするワークの荷重をフックプレートの長手方向の鋼性により支えることを可能にして、重量の大なるワークであっても、これを安定的に保持しつつ容易に反転させることができる。
【図面の簡単な説明】
【図１】（ａ）（ｂ）は本発明の一実施例を示す装置の側面図と正面図である。
【図２】ワークと結合した状態を示した図である。
【図３】反転させた状態を示す図である。
【図４】（ａ）（ｂ）は本発明の他の実施例を示すフックプレートの上面図と側面図である。
【符号の説明】
１  アーム
５，２５  ブラケット
６  ロッド
７、２７、２８  フックプレート
８  ２７ａ、２８ａ  係合突起
【図１】
0003666628.tif 000002
【図２】
0003666628.tif 000003
【図３】
0003666628.tif 000004
【図４】
0003666628.tif 000005